(57)【要約】【課題】本発明は、スマートフォン等のモバイル環境における最適の広告提供手段を提供する。【解決手段】本発明は、端末及び端末にインストールされたアプリケーションを利用した広告方法に関する。本発明の一実施形態によるアプリケーションを利用した広告方法は、アプリケーションモジュールにおいて、第１のアプリケーションのインストール、アップグレード、及び実行のうち少なくとも一つを遂行する段階と、アプリケーションモジュールにおいて、サーバから第１のアプリケーションのインストール、アップグレード、及び実行のうち少なくとも一つと連動して広告情報を受信する段階と、広告モジュールにおいて、受信した広告情報から広告ＵＲＬを抽出する段階と、広告モジュールにおいて、抽出された広告ＵＲＬへの接続リンクを含むアイコンを生成する段階とを備える。【選択図】図１
2014038590.tif 000002
【特許請求の範囲】
【請求項１】
第１のアプリケーションのインストール、アップグレード、及び実行のうち少なくとも一つを遂行するアプリケーションモジュールと、前記第１のアプリケーションのインストール、アップグレード、及び実行のうち少なくとも一つと連動して受信した広告情報から広告ＵＲＬを抽出し、抽出された前記広告ＵＲＬへの接続リンクを含むアイコンを生成する広告モジュールとを備える端末。
【請求項２】
前記広告ＵＲＬは、前記第１のアプリケーションと連係された広告ウェブページへの接続情報である、請求項１に記載の端末。
【請求項３】
前記広告ＵＲＬは、前記第１のアプリケーションと連係された第２のアプリケーションのインストールファイルの接続経路である、請求項１に記載の端末。
【請求項４】
前記端末は、前記端末のユーザから生成された前記アイコンに対する実行要請を受信する入力モジュールをさらに備え、前記アプリケーションモジュールは、前記アイコンに含まれる前記広告ＵＲＬから前記第２のアプリケーションのインストールファイルをダウンロードし、ダウンロードした前記インストールファイルを利用して前記第２のアプリケーションを前記端末にインストールする、請求項３に記載の端末。
【請求項５】
前記アプリケーションモジュールは、前記広告情報と共に受信した広告露出制御情報によって前記第１のアプリケーションの実行中に前記広告情報を前記端末の画面に表示する、請求項１に記載の端末。
【請求項６】
アプリケーションモジュールにおいて、第１のアプリケーションのインストール、アップグレード、及び実行のうち少なくとも一つを遂行する段階と、前記アプリケーションモジュールにおいて、サーバから前記第１のアプリケーションのインストール、アップグレード、及び実行のうち少なくとも一つと連動して広告情報を受信する段階と、広告モジュールにおいて、受信した前記広告情報から広告ＵＲＬを抽出する段階と、前記広告モジュールにおいて、抽出された前記広告ＵＲＬへの接続リンクを含むアイコンを生成する段階とを備える、アプリケーションを利用した広告方法。
【請求項７】
前記広告ＵＲＬは、前記第１のアプリケーションと連係された広告ウェブページへの接続情報である、請求項６に記載のアプリケーションを利用した広告方法。
【請求項８】
前記広告ＵＲＬは、前記第１のアプリケーションと連係された第２のアプリケーションのインストールファイルの接続経路である、請求項６に記載のアプリケーションを利用した広告方法。
【請求項９】
前記アイコンを生成する段階以後に、入力モジュールにおいて、端末のユーザから生成された前記アイコンに対する実行要請を受信する段階と、前記アプリケーションモジュールにおいて、実行された前記アイコンに含まれる前記広告ＵＲＬから前記第２のアプリケーションのインストールファイルをダウンロードする段階と、前記アプリケーションモジュールにおいて、ダウンロードした前記インストールファイルを利用して前記第２のアプリケーションを前記端末にインストールする段階とをさらに備える、請求項８に記載のアプリケーションを利用した広告方法。
【請求項１０】
前記広告情報を受信する段階は、前記アプリケーションモジュールにおいて、前記第１のアプリケーションの実行時に前記サーバから前記広告情報と共に広告露出制御情報を受信する段階と、前記アプリケーションモジュールにおいて、前記広告露出制御情報によって前記第１のアプリケーションの実行中に前記広告情報を画面に表示する段階とを備える、請求項６に記載のアプリケーションを利用した広告方法。
【請求項１１】
一つ以上の媒体社から登録された各第１のアプリケーションに対して一つ以上の広告主から登録された少なくとも一つの広告ＵＲＬをマッチングするマッチングモジュールと、端末から前記第１のアプリケーションに対するインストール要請、アップグレード要請、及び実行要請のうち少なくとも一つを受信し、前記第１のアプリケーションに対するインストール要請、アップグレード要請、及び実行要請のうち少なくとも一つと連動し、前記第１のアプリケーションとマッチングした広告ＵＲＬを前記端末に伝送する通信モジュールとを備える広告提供サーバ。
【請求項１２】
前記広告ＵＲＬは、前記第１のアプリケーションと連係された広告ウェブページへの接続情報である、請求項１１に記載の広告提供サーバ。
【請求項１３】
前記広告ＵＲＬは、前記第１のアプリケーションと連係された第２のアプリケーションのインストールファイルの接続経路である、請求項１１に記載の広告提供サーバ。
【請求項１４】
前記通信モジュールは、前記端末から前記第２のアプリケーションのインストールファイルの伝送要請を受信する場合、前記第２のアプリケーションのインストールファイルを前記端末に伝送する、請求項１３に記載の広告提供サーバ。
【請求項１５】
前記通信モジュールは、前記端末から前記第１のアプリケーションの実行要請を受信する場合、前記第１のアプリケーションとマッチングした広告ＵＲＬと共に広告露出制御情報を前記端末に伝送する、請求項１１に記載の広告提供サーバ。
【発明の詳細な説明】
【技術分野】
【０００１】
本発明は、携帯端末におけるアプリケーションを利用した広告技術に関するものである。
【背景技術】
【０００２】
モバイル技術の発達によってアプリケーションを自由自在にインストールできるスマートフォン又はタブレットＰＣ等の普及が急激に進み、スマートフォンで代表される携帯移動通信端末を利用した広告市場もまた急成長している。
【０００３】
従来のスマートフォンを利用した広告の場合、モバイルウェブページにバナー等の形態で広告を表示するか、或いはアプリケーションの一部を広告画面として利用する場合がほとんどであった。しかしながら、このような従来のモバイル広告の場合、注目度及び認知度の面において限界があるため、携帯端末の特性を利用した新たな広告方法に対する需要が着実に増加してきている。
【発明の概要】
【発明が解決しようとする課題】
【０００４】
本発明は、スマートフォン等のモバイル環境における最適な広告の提供手段を提供することにその目的がある。
【課題を解決するための手段】
【０００５】
本発明の一実施形態による端末は、第１のアプリケーションのインストール、アップグレード、及び実行のうち少なくとも一つを遂行するアプリケーションモジュールと、前記第１のアプリケーションのインストール、アップグレード、及び実行のうち少なくとも一つと連動して受信した広告情報から広告ＵＲＬを抽出し、抽出された前記広告ＵＲＬへの接続リンクを含むアイコンを生成する広告モジュールとを備える。
【０００６】
本発明の一実施形態によるアプリケーションを利用した広告方法は、アプリケーションモジュールにおいて、第１のアプリケーションのインストール、アップグレード、及び実行のうち少なくとも一つを遂行する段階と、前記アプリケーションモジュールにおいて、サーバから前記第１のアプリケーションのインストール、アップグレード、及び実行のうち少なくとも一つと連動して広告情報を受信する段階と、広告モジュールにおいて、受信した前記広告情報から広告ＵＲＬを抽出する段階と、前記広告モジュールにおいて、抽出された前記広告ＵＲＬへの接続リンクを含むアイコンを生成する段階とを備える。
【０００７】
本発明の一実施形態による広告制御サーバは、一つ以上の媒体社によって登録された各第１のアプリケーションに対して一つ以上の広告主によって登録された少なくとも一つの広告ＵＲＬをマッチングするマッチングモジュールと、端末から前記第１のアプリケーションに対するインストール要請、アップグレード要請、及び実行要請のうち少なくとも一つを受信し、前記第１のアプリケーションに対するインストール要請、アップグレード要請、及び実行要請のうち少なくとも一つと連動して前記第１のアプリケーションとマッチングした広告ＵＲＬを前記端末に伝送する通信モジュールを備える。
【発明の効果】
【０００８】
本発明の実施形態による場合、モバイル端末のユーザが利用するアプリケーションと連動して広告ウェブページ又は広告アプリケーションをインストールすることによって、使用の抵抗感を最小化し、広告を露出させることができるようになる。
【０００９】
なお、アプリケーションのインストールファイル、アプリケーションのアップグレードファイル、アプリケーションのモバイルウェブページ等に簡単なプログラムコードの挿入のみによって広告を配布することができるため、広告の表示及び配布が容易であり、媒体社のアプリケーションのユーザ層を対象として広告を行うので、広告主の立場からは正確にターゲットとなった広告需要者層を確保することができる。
【００１０】
併せて、アプリケーションを提供する媒体社の場合、アプリケーションの提供過程において必然的に提供しなければならないアプリケーションのアップグレード過程において媒体社のアプリケーションの販売と別途に、広告配布を通じた更なる収益を上げることができる長所がある。
【図面の簡単な説明】
【００１１】
【図１】本発明の一実施形態によるアプリケーションを利用した広告システムの全体構成を示したブロック図である。
【図２】本発明の一実施形態による広告提供サーバの詳細構成を示した図である。
【図３】本発明の一実施形態による端末の詳細構成を示した図である。
【図４】本発明の一実施形態によるアプリケーションを利用した広告方法を順次示したフローチャートである。
【図５】本発明の一実施形態による端末において、第１のアプリケーションと連動する広告情報のアイコンをインストールするか否かをユーザに問い合わせを行う状態を示した図である。
【発明を実施するための形態】
【００１２】
以下、図面を参照して、本発明の具体的な実施形態を説明する。しかしながら、これらは例示に過ぎず、本発明はこれらに限定されるものではない。
【００１３】
本発明を説明するにあたり、本発明に係る公知技術に対する具体的な説明が、本発明の要旨を不明瞭にすると判断される場合には、その詳細な説明を省略する。そして、後述する用語は、本発明における機能を考慮して定義された用語であって、これはユーザ、運用者の意図又は慣例などにより変わり得る。従って、その定義は本明細書の全般にわたる内容に基づいて下されなければならない。
【００１４】
本発明の技術的思想は特許請求の範囲によって定められ、以下の実施形態は、本発明の技術的思想を本発明が属する技術分野において通常の知識を有する者に効率的に説明するための一手段に過ぎない。
【００１５】
図１は、本発明の一実施形態によるアプリケーションを利用した広告システムの構成を示したブロック図である。
【００１６】
図１を参照すれば、本発明の一実施形態による広告システム１００は、媒体社システム１０２、広告主システム１０４、広告提供サーバ１０６、及び端末１０８を備える。ここで、各構成要素はネットワーク１１０を通じて互いに接続され、データを送受信する。この時、ネットワーク１１０は、パケットデータの送受信が可能な全種類の有線又は無線ネットワークを包括する。
【００１７】
媒体社システム１０２は、後述する端末１０８内において、インストール及び駆動されるアプリケーションを提供するためのシステムである。本発明の実施形態では、媒体社システム１０２が提供するアプリケーションと連動して広告が提供されるようになる。すなわち、媒体社システム１０２が提供するアプリケーションは、一種の広告提供媒体として機能するようになる。前記アプリケーションは、一般的に、スマートフォン等で実行されるニュースアプリケーション、交通情報提供アプリケーション、ゲームアプリケーション等のモバイルアプリケーションを意味するものであって、本発明は、アプリケーションの種類には制限されない。本発明の実施形態において、媒体社システム１０２は、前記アプリケーションの端末１０８への初期インストールのためのアプリケーションインストールファイル及び既インストールされたアプリケーションのアップグレード(又はアップデート)のためのアプリケーションアップグレードファイルを提供することができる。本明細書において、媒体社システム１０２が提供するアプリケーションは、「第１のアプリケーション」又は「媒体社アプリケーション」と表記することができる。
【００１８】
広告主システム１０４は、媒体社システム１０２が提供するアプリケーション(すなわち、第１のアプリケーション)と連動して提供される広告を提供するためのシステムである。前記広告は、例えば、広告しようとする内容を含むウェブページ又はモバイルウェブページであり得る。また、前記広告は、端末１０８にインストールされて駆動するアプリケーションであり得る。すなわち、本発明の実施形態において、広告主は第１のアプリケーションと連動して広告主が広告しようとする他のアプリケーションを端末１０８にインストールするように構成し得る。本明細書において、広告主システム１０４が提供するアプリケーション(すなわち、広告の形態がアプリケーションである場合)は、「第２のアプリケーション」又は「広告主アプリケーション」と表記することができる。
【００１９】
広告提供サーバ１０６は、一つ以上の媒体社システム１０２から提供されたアプリケーション(第１のアプリケーション)と、一つ以上の広告主システム１０４から提供された広告とをマッチングさせて端末１０８に提供する。この時、一つの第１のアプリケーションには複数の広告がマッチングされ得る。
【００２０】
広告提供サーバ１０６は、所定の第１のアプリケーションとマッチングした少なくとも一つの広告を第１のアプリケーションと連動して端末１０８に提供することができる。例えば、広告提供サーバ１０６は、端末１０８が第１のアプリケーションを初めてインストールする時、第１のアプリケーションのインストールファイルと共に第１のアプリケーションとマッチングした広告情報を端末１０８に伝送することができる。そして、広告提供サーバ１０６は、端末１０８が既インストールされた第１のアプリケーションをアップグレードする時、第１のアプリケーションのアップグレードファイルと共に第１のアプリケーションとマッチングした広告情報を端末１０８に伝送することができる。
【００２１】
また、広告提供サーバ１０６は、端末１０８において第１のアプリケーションを実行する時、第１のアプリケーションとマッチングした広告情報を端末１０８に伝送することができる。なお、広告提供サーバ１０６は、端末１０８において第１のアプリケーションが実行されている間に第１のアプリケーションとマッチングした広告情報を端末１０８に伝送することができる。この時、広告提供サーバ１０６は、端末１０８において第１のアプリケーションが実行されている間に前記広告情報を周期的に伝送することができる。しかし、これに限定されるものではなく、前記広告情報をランダムな時間間隔で伝送することもできる。
【００２２】
また、広告提供サーバ１０６は、端末１０８において第１のアプリケーションを最初に実行する時、第１のアプリケーションとマッチングした広告情報を端末１０８に伝送した後、端末１０８において第１のアプリケーションを実行する度に、或いは端末１０８において第１のアプリケーションが実行されている間に端末１０８が前記広告情報を画面に表示するようにすることもできる。
【００２３】
このように、広告提供サーバ１０６は、１)端末１０８が第１のアプリケーションをインストールする場合、２)端末１０８が第１のアプリケーションをアップグレードする場合、３)端末１０８が第１のアプリケーションを実行する場合、及び４)端末１０８において第１のアプリケーションを実行している間の場合のうち少なくとも一つにおいて、第１のアプリケーションと連動して前記広告情報を端末１０８に伝送することができる。
【００２４】
ここで、前記広告情報は、ＵＲＬの形態で端末１０８に提供され得る。例えば、前記広告がインターネット上のウェブページ形態で構成される場合、前記ＵＲＬは、該当広告ウェブページへのアクセスのための接続情報であり得る。また、前記広告が端末１０８にインストールされるアプリケーションの形態である場合、前記ＵＲＬは、該当アプリケーション(すなわち、第２のアプリケーション)のインストールファイルの接続経路であるか、或いは該当アプリケーションをインストールすることができるウェブページ(例えば、アプリケーションマーケットのアプリケーション紹介ページ)の接続アドレスであり得る。
【００２５】
一方、本発明の実施形態においては、広告提供サーバ１０６が一つの独立されたハードウェアで構成される実施形態を記述したが、これは単なる例示であって、広告提供サーバ１０６は複数の分離されたハードウェアとして構成されることもできる。例えば、広告提供サーバ１０６は、アプリケーションと広告とのマッチングサービスのみを提供し、アプリケーションインストールファイル又はアップグレードファイルは、別途のサーバにおいて提供されるように構成することもまた可能であり、このような構成もまた本発明の権利範囲に属するものと解釈すべきである。
【００２６】
端末１０８は、ユーザが使用する携帯用デバイスであって、例えば、スマートフォン等のアプリケーションインストール及びアップグレード機能を有するユーザ機器を意味する。
【００２７】
端末１０８は、広告提供サーバ１０６から第１のアプリケーションのインストールファイルをダウンロードし、ダウンロードした前記インストールファイルを用いて前記第１のアプリケーションを端末１０８にインストールすることができる。端末１０８は、広告提供サーバ１０６から第１のアプリケーションのアップグレードファイルをダウンロードし、ダウンロードした前記アップグレードファイルを用いて前記第１のアプリケーションに対するアップグレードを遂行することができる。端末１０８は、ユーザの実行要請によって端末１０８にインストールされた第１のアプリケーションを実行させることができる。
【００２８】
ここで、端末１０８は、第１のアプリケーションをインストールする時、第１のアプリケーションをアップグレードする時、第１のアプリケーションを実行する時、及び第１のアプリケーションが実行中である時の少なくとも一つにおいて、広告提供サーバ１０６から伝送された広告ＵＲＬを抽出し、抽出された前記広告ＵＲＬへの接続リンクを含むアイコンを生成することができる。端末１０８は、生成したアイコンを端末１０８の待受画面にインストールすることができる。以後、ユーザは、インストールされた前記アイコンをタッチして実行するようになり、この場合、もし前記アイコンに連結されたＵＲＬが広告ウェブページのＵＲＬである場合には該当ウェブページに移動し、これと異なり、該当ＵＲＬがアプリケーション(すなわち、第２のアプリケーション)のインストールファイルの接続アドレスである場合、該当アプリケーションをダウンロードしてインストールするようになる。
【００２９】
図２は、本発明の一実施形態による広告提供サーバ１０６の詳細構成を示した図である。図示するように、本発明の一実施形態による広告提供サーバ１０６は、マッチングモジュール２００、通信モジュール２０２、統計モジュール２０４、及び精算モジュール２０６を備える。
【００３０】
マッチングモジュール２００は、一つ以上の媒体社システム１０２から提供された媒体社アプリケーション(すなわち、第１のアプリケーション)及び一つ以上の広告主システム１０４から提供された広告(広告ＵＲＬ)のそれぞれをマッチングする。この時、一つの第１のアプリケーションに複数の広告をマッチングすることもできる。
【００３１】
通信モジュール２０２は、端末１０８から第１のアプリケーションに対するインストール要請を受信する場合、該当第１のアプリケーションのインストールファイルに該当第１のアプリケーションとマッチングした広告情報(すなわち、広告ＵＲＬ)を含んで端末１０８に伝送することができる。通信モジュール２０２は、端末１０８から該当端末１０８に既インストールされた第１のアプリケーションに対するアップグレード要請を受信する場合、該当第１のアプリケーションのアップグレードファイルに該当第１のアプリケーションとマッチングした広告情報を含んで端末１０８に伝送することができる。通信モジュール２０２は、端末１０８から該当端末１０８に既インストールされた第１のアプリケーションの実行要請を受信する場合、該当第１のアプリケーションのモバイルウェブページに該当第１のアプリケーションとマッチングした広告情報を含んで端末１０８に伝送することができる。この時、通信モジュール２０２は、該当第１のアプリケーションのモバイルウェブページに該当第１のアプリケーションが端末１０８において実行されている間に前記広告情報を周期的に又はランダムな時間間隔で画面に表示するようにする広告露出制御情報を含んで伝送することができる。
【００３２】
また、通信モジュール２０２は、端末１０８から第１のアプリケーションとマッチングした広告主のアプリケーション(すなわち、第２のアプリケーション)のインストール要請を受信する場合、該当第２のアプリケーションのインストールファイルを端末１０８に伝送することができる。すなわち、前述したように、広告提供サーバ１０６から第１のアプリケーションと連動して広告情報が提供される場合、端末１０８はユーザの選択によって前記広告情報から広告ＵＲＬを抽出し、前記広告ＵＲＬへの接続リンクを含むアイコンを生成することができる。この時、端末１０８のユーザがアイコンをタッチ等で選択して該当アイコンに連結された第２のアプリケーションのインストール要請を広告提供サーバ１０６に伝送することができる。この場合、通信モジュール２０２は、該当第２のアプリケーションのインストールファイルを端末１０８に伝送するようになる。ここで、端末１０８のユーザがアイコンを選択する場合、広告提供サーバ１０６が該当アイコンに連結された第２のアプリケーションのインストールファイルを端末１０８に伝送するものと説明したが、これに限定されるものではなく、端末１０８のユーザがアイコンを選択すれば、該当アイコンに連結された第２のアプリケーションの他のインストールファイル経路(例えば、アプリケーションマーケットの該当第２のアプリケーションの紹介ページ)に接続されることもできる。
【００３３】
統計モジュール２０４は、各媒体社アプリケーション別にマッチングした広告主アプリケーションのダウンロード状況又は広告主のウェブページの接続状況等に関する統計データを生成する。
【００３４】
精算モジュール２０６は、統計モジュール２０４から生成された統計データによって媒体社システム１０２及び広告主システム１０４の間において広告による収益を配分する。
【００３５】
図３は、本発明の一実施形態による端末１０８の詳細構成を示した図である。図示するように、本発明の一実施形態による端末１０８は、アプリケーションモジュール３００、広告モジュール３０２、及び入力モジュール３０４を備える。
【００３６】
アプリケーションモジュール３００は、広告提供サーバ１０６から第１のアプリケーション(媒体社アプリケーション)のインストールファイルをダウンロードし、ダウンロードしたインストールファイルを利用して第１のアプリケーションを端末１０８にインストールすることができる。アプリケーションモジュール３００は、広告提供サーバ１０６から端末１０８に既インストールされた第１のアプリケーションのアップグレードファイルをダウンロードし、ダウンロードしたアップグレードファイルを利用して第１のアプリケーションに対するアップグレードを遂行することができる。
【００３７】
アプリケーションモジュール３００は、端末１０８に既インストールされた第１のアプリケーションを実行させることができる。この場合、アプリケーションモジュール３００は、広告提供サーバ１０６に接続して第１のアプリケーションのモバイルウェブページを伝送されるようになる。ここで、アプリケーションモジュール３００は、端末１０８に既インストールされた第１のアプリケーションを実行させる場合、広告提供サーバ１０６から伝送された広告露出制御情報によって第１のアプリケーションとマッチングした広告情報を周期的に又はランダムな時間間隔で画面に表示することができる。この時、アプリケーションモジュール３００は、該当広告情報を別途のポップアップ画面を介して表示することができる。
【００３８】
このような過程において、アプリケーションモジュール３００は、第１のアプリケーションのインストールファイル、第１のアプリケーションのアップグレードファイル、及び第１のアプリケーションのモバイルウェブページに含まれる広告情報を利用した第２のアプリケーションのインストール又は該当広告主のウェブページへの連結アイコンをインストールするか否かをユーザに問い、前記問いに対してユーザがこれを許諾する場合、第２のアプリケーションのインストール又は該当広告主のウェブページへの連結アイコンインストールプロセスを実行するようになる。
【００３９】
また、アプリケーションモジュール３００は、広告提供サーバ１０６から第２のアプリケーション(広告主アプリケーション)のインストールファイルをダウンロードし、ダウンロードしたインストールファイルを利用して第２のアプリケーションを端末１０８にインストールすることができる。
【００４０】
広告モジュール３０２は、前述の問いに対するユーザの選択によって、第１のアプリケーションと連動して提供された広告情報から広告ＵＲＬを抽出し、抽出された広告ＵＲＬへの接続リンクを含むアイコンを生成することができる。この時、広告モジュール３０２は、前記アイコンを端末１０８の待受画面に生成することができる。前記広告ＵＲＬは、第１のアプリケーションと連係された広告ウェブページへの接続情報であるか、或いは第１のアプリケーションと連係された第２のアプリケーションのインストールファイルの接続経路であり得る。
【００４１】
入力モジュール３０４は、端末１０８のユーザから第１のアプリケーションのインストール要請、アップグレード要請、及び実行要請のうち少なくとも一つを受信し、アプリケーションモジュール３００に伝送することができる。入力モジュール３０４は、端末１０８のユーザから広告モジュール３０２によってインストールされたアイコンに対する実行要請を受信し、アプリケーションモジュール３００に伝送することができる。
【００４２】
図４は、本発明の一実施形態によるアプリケーションを利用した広告方法４００を順次示したフローチャートである。ここで、第１のアプリケーションのアップグレードと連動して広告情報を提供する場合を説明する。
【００４３】
まず、端末１０８のアプリケーションモジュール３００が、広告提供サーバ１０６から端末１０８に既インストールされた第１のアプリケーションのアップグレードファイルをダウンロードする（段階４０２）。この時、広告提供サーバ１０６は、第１のアプリケーションとマッチングした広告情報を第１のアプリケーションのアップグレードファイルと共に端末１０８に伝送する。
【００４４】
次に、端末１０８の広告モジュール３０２が問いに対するユーザの選択によって広告提供サーバ１０６からダウンロードしたアップグレードファイルに含まれる広告情報から広告ＵＲＬを抽出し（段階４０４）、抽出された広告ＵＲＬへのリンクを含むアイコンを端末１０８の待受画面にインストールする（段階４０６）。
【００４５】
次に、入力モジュール３０４がユーザから端末１０８の待受画面にインストールされたアイコンに対する実行要請を受信する場合（段階４０８）、アプリケーションモジュール３００は実行されたアイコンに含まれる広告ＵＲＬを利用して広告主のウェブページを画面上に表示するか、或いは第２のアプリケーションのインストールファイルをダウンロードし、ダウンロードしたインストールファイルを用いて第２のアプリケーションを端末１０８にインストールするようになる（段階４１０）。
【００４６】
図５は、本発明の一実施形態による端末において、第１のアプリケーションと連動する広告情報のアイコンをインストールするか否かをユーザに問い合わせを行う状態を示した図である。ここで、第１のアプリケーションのアップグレードと連動して広告情報が提供される場合を説明する。
【００４７】
図５を参照すれば、端末１０８が、端末１０８に既インストールされた第１のアプリケーション(媒体社アプリケーション)のアップグレードファイルを広告提供サーバ１０６からダウンロードした場合、端末１０８は第１のアプリケーションのアップグレードファイルに含まれる広告情報のアイコンをインストールするか否かをユーザに問いをするようになる。ここで、ユーザが確認ボタンを選択した場合、端末１０８は第１のアプリケーションのアップグレードファイルに含まれる広告情報から広告ＵＲＬを抽出し、抽出された広告ＵＲＬへの接続リンクを含むアイコンを生成するようになる。この時、アイコンは、第２のアプリケーションのインストールファイルの接続経路であってよい。
【００４８】
一方、本発明の実施形態は、本明細書において記述した方法をコンピューター上において遂行するためのプログラムを含むコンピューター読取可能な記録媒体を備えることができる。前記コンピューター読取可能な記録媒体は、プログラム命令、ローカルデータファイル、ローカルデータ構造等を単独で又は組み合わせて備えることができる。前記媒体は、本発明のために特別に設計され、構成されたものであるか、或いはコンピューターソフトウェア分野において通常の知識を有する者に公知となって使用可能なものであり得る。コンピューター読取可能な記録媒体の例としては、ハードディスク、フロッピーディスク及び磁気テープのような磁気媒体、ＣＤ−ＲＯＭ、ＤＶＤのような光記録媒体、フロッピーディスクのような磁気−光媒体、及びＲＯＭ、ＲＡＭ、フラッシュメモリ等のようなプログラム命令を保存して遂行するように特別に構成されたハードウェア装置が含まれる。プログラム命令の例としては、コンパイラーによって作成されるような機械語コードのみではなくインタプリター等を用いてコンピューターによって実行され得る高級言語コードを含むことができる。
【００４９】
以上において、代表的な実施形態を通じて本発明について詳細に説明したが、本発明が属する技術分野において通常の知識を有する者は、詳述した実施形態について本発明の範疇から外れない範囲内で様々な変形が可能であることを理解しなければならない。従って、本発明の権利範囲は説明された実施形態に限定して定めてはおらず、後述する特許請求の範囲のみならず、この特許請求の範囲と均等なものなどによって定めなければならない。
【符号の説明】
【００５０】
１００: アプリケーションを利用した広告システム
１０２: 媒体社システム
１０４: 広告主システム
１０６: 広告提供サーバ
１０８: 端末
２００: マッチングモジュール
２０２: 通信モジュール
２０４: 統計モジュール
２０６: 精算モジュール
３００: アプリケーションモジュール
３０２: 広告モジュール
３０４: 入力モジュール
【図１】
2014038590.tif 000003
【図２】
2014038590.tif 000004
【図３】
2014038590.tif 000005
【図４】
2014038590.tif 000006
【図５】
2014038590.tif 000007